Podtech/llm-jp-corpus-v4-ja_patent huggingface dataset:
(57)【要約】【課題】    車両の側面光表示による夜間安全確認装置【解決手段】  一般に車両の表示装置はその前後に集中し、側面にその存在を確認する表示を施したものは稀で、せいぜい反射鏡等を設置したものである。夜間、車両の確認のためにはその側面に自発光によりその存在を明確に表示することにより対人、対車両の安全を確保できる。あらゆる車両の可能な部所に側面発光体による表示装置を取り付けることによりこの問題を解決できる。【選択図】図２
2008189286.tif 000002
【特許請求の範囲】
【請求項１】
側面発光を可能とした導光材による、車両表示
【請求項２】
車両に取り付けを目的とした、側面発光導光材を用いた車両表示装置
【発明の詳細な説明】
【技術分野】
【０００１】  発明は棒状または板状に発光する表示灯を設置することにより、車両及び歩行者の安全を確保するものである。
【背景技術】
【０００２】  光ファイバー等に利用される導光材を棒状または板状に成型し、その端点に設置したＬＥＤ（発光ダイオード）等による光線を導光材の側面に照らし出すように反射面を加工した表示装置が開発されている。
【発明の開示】
【発明を解決しようとする課題】
【０００３】  自転車、バイク等の照明及び表示灯は車両の前後に設置され、また、位置表示を目的とする反射鏡等は外部からの光が無いと効力を発揮できない。
暗い夜道の角から出てくる車両を確認し、安全を確保する手段が求められている。
【課題を解決する手段】
【０００４】  側面発光可能な導光材をＬＥＤ（発光ダイオード）等により発光させ、車両の側面に取り付けることにより解決する。また、車両の前後に設置することにより、より多くの情報を提供できる。
【発明の効果】
【０００５】  ＬＥＤ車両表示灯は消費電力が小さく、自転車の発電機により点灯可能で、バイク、自動車に設置すれば、走行時の情報はもちろんのこと夜間の駐車位置情報によるバッテリーの消耗を軽微なものに出来る。
【発明を実施するための最良の形態・実施例】
【０００６】  棒状に成型した反射面を有する導光材を自転車の前方に取り付けた篭の両側面に設置して、自転車発電機に接続したＬＥＤ［発光ダイオード］を光源とし表示することにより、暗闇内の自転車側面を確認し、安全を確保することが出来る。
【図面の簡単な説明】
【０００７】
【図１】「反射面を有する導光材」反射材を設置した導光材
【図２】「車両に取り付けた表示灯」自転車前方の篭に取り付けた側面表示灯
【符号の説明】
１．  導光材
２．  反射材
３．  光源
４．  車両（自転車）
５．  篭
６．  発電機
７．  前照灯
８．  表示灯
９．  取り付け部
１０．電源コード
【図１】
2008189286.tif 000003
【図２】
2008189286.tif 000004
【図３】
2008189286.tif 000005
【手続補正書】
【提出日】平成19年4月3日(2007.4.3)
【手続補正１】
【補正対象書類名】明細書
【補正対象項目名】０００７
【補正方法】変更
【補正の内容】
【０００７】
【図１】
「反射面を有する導光材」  反射材を設置した導光材
【図２】
「車両に取り付けた表示灯」  自転車前方の篭に取り付けた側面表示灯
【図３】
「車両用表示装置」  反射面を有する導光材にＬＥＤ等の発光装置を取り付けた表示灯に取り付け部、電源コードを接続した、自転車用表示装置、同様に自動車等の車両用として用途が考えられる。
【符号の説明】
１．  導光材
２．  反射材
３．  光源
４．  車両（自転車）
５．  篭
６．  発電機
７．  前照灯
８．  表示灯
９．  取り付け部
１０．電源コード
(57)【要約】【課題】      １つの錠で自転車の前輪、後輪の両輪をロックするためには、両輪のそれぞれに錠を取り付け、それらの錠をワイヤで錠の操作部と接続する方法があるが、ブレーキワイヤの他に錠制御用のワイヤが必要であり、そのためにワイヤ数が多くなるなど煩雑になる、また、錠制御用のワイヤを切れば簡単に解錠できるという難点があった。【解決手段】    錠を自転車の前輪、後輪のブレーキワイヤが交差する自転車ハンドルのステム部に取り付け、１つの錠で両輪のブレーキワイヤのワイヤをブレーキを掛けた状態でロックし、走行不能に施錠することにより、１つの錠で両輪をロックするにもかかわらず鍵制御用のワイヤが不要であることから煩雑さが解消でき、また、錠の蓋を施錠した状態でロックすることにより、キーが無い状況では錠を分解することができないため、自転車を盗むためには両輪のブレーキワイヤを切る必要があり、切れば正常な自転車の走行ができなくなるため、チョイ乗り等の盗難防止効果を高めることができる。【選択図】図１
2008189290.tif 000002
【特許請求の範囲】
【請求項１】
自転車の前輪、後輪のブレーキワイヤが交差する自転車ハンドルのステム部に取り付け、１つの錠で両輪のブレーキワイヤのワイヤをブレーキを掛けた状態でロックすることにより走行不能に施錠する自転車錠。
【発明の詳細な説明】
【技術分野】
【０００１】  本発明は、１つの錠で、前輪、後輪の両輪をロックすることにより走行不能に施錠する自転車錠に関する。
【背景技術】
【０００２】  従来は、自転車の前輪、後輪のブレーキワイヤが交差する自転車ハンドルのステム部に取り付け、１つの錠で両輪のブレーキワイヤのワイヤをブレーキを掛けた状態でロックすることにより走行不能に施錠する自転車錠はなかった。
【発明の開示】
【発明が解決しようとする課題】
【０００３】  １つの錠で自転車の両輪をロックするためには両輪のそれぞれに錠を取り付け、それらの錠をワイヤで錠の操作部と接続する方法があるが、ブレーキワイヤの他に錠制御用のワイヤが必要で、そのためにワイヤ数が多くなるなど煩雑になり、また、錠制御用のワイヤを切れば簡単に解錠できるという難点があったが、これらの課題を解消するためになされたものである。
【課題を解決するための手段】
【０００４】  上記目的を達成するため、本発明の錠を自転車の前輪、後輪のブレーキワイヤが交差する自転車ハンドルのステム部に取り付け、１つの錠で両輪のブレーキワイヤのワイヤをブレーキを掛けた状態でロックし、走行不能に施錠するようにすることにより、１つの錠で両輪をロックするにもかかわらず鍵制御用のワイヤが不要であることから煩雑さが解消できる。【０００５】  また、錠の蓋を施錠した状態でロックすることにより、キーが無い状況では錠を分解することができないため、自転車を盗むためには両輪のブレーキワイヤを切る必要があり、切れば正常な自転車の走行ができなくなるため、チョイ乗り等の盗難防止効果を高めることができる。
【発明の効果】
【０００６】  本発明の錠は、自転車の両輪をブレーキワイヤをブレーキを掛けた状態でロックすることにより走行不能に施錠するため、１つの錠で両輪をロックするにもかかわらずワイヤ数が増えないため煩雑さが解消できる。【０００７】  また、自転車を盗むためには両輪のブレーキワイヤを切る必要があり、切れば正常な自転車の走行ができなくなるため、チョイ乗り等の盗難防止効果を高めることができる。
【実施例１】
【０００８】  以下、本発明の実施例を図１〜図３に基づいて説明する。【０００９】  錠本体１を自転車のステム２に固定する。錠本体１の中に、ブレーキワイヤ４のワイヤ５の戻り止めとして直動のラチェット機能部６を２箇所とシリンダー錠７を内蔵し、シリンダー錠７のキー８によりラチェット機能をオン、オフさせる。前輪、後輪のブレーキワイヤ４のワイヤ５をラチェット機能部６のラック９にそれぞれ留めネジ１０で固定させる。ラチェット機能はオンの状態ではラック９がブレーキレバー３方向（図２の上側方向）にのみ移動できように設定する。【００１０】  錠をかける時は、キー８を回し、回転主ロックバー１２、てこ１４により、押さえバネ１５、戻りバネ１６を押し下げ、ラチェットつめ１１をラック９に密着させることによりラチェット機能をオンさせ、左右両方のブレーキレバー３を握りしめ両輪をロックさせた状態でブレーキレバー３をはずせば、ラチェット機能が働きラック９の戻りが阻止されることからワイヤ５は緩まないためブレーキが効いたままの状態で両輪はロックされる。【００１１】  解錠時は、キー８を回し戻し、ラチェットつめ１１とラック９の密着を緩めることによりラチェット機能をオフにすれば、ラック９が車輪のブレーキ側（図２の下側方向）に戻されることから、ワイヤ５が緩みブレーキが解除され、両輪のロックは解除される。【００１２】  錠本体１の蓋１７は、施錠時、蓋引っかけ部１８がシリンダ錠の回転副ロックバー１３に引っかかり、蓋１７は工具を使っても開けることができないことから、錠の機能をキー８無しで解除するためには車輪のブレーキ側のブレーキワイヤ４を切る必要があり、切れば自転車の安全な走行ができなくなる。
【図面の簡単な説明】
【００１３】
【図１】  本発明の自転車への取付外観図
【図２】  本発明の実施例の内部の正面図
【図３】  本発明の実施例の平面図
【符号の説明】
【００１４】  １  錠本体
２  ステム
３  ブレーキレバー
４  ブレーキワイヤ
５  ワイヤ
６  ラチェット機能部
７  シリンダー錠
８  キー
９  ラック
１０  留めネジ
１１  ラチェットつめ
１２  回転主ロックバー
１３  回転副ロックバー
１４  てこ
１５  押さえバネ
１６  戻りバネ
１７  蓋
１８  蓋引っかけ部
【図１】
2008189290.tif 000003
【図２】
2008189290.tif 000004
【図３】
2008189290.tif 000005
(57)【要約】【課題】安価で水漏れのない木製雨水槽を提供する。【解決手段】薄い鉄板製の皿２の上に木枠５を何段か積み上げる。金属皿２の周縁はＬ字状断面に折曲して、段部２ａと立ち上り部２ｂを形成している。最下段の木枠５はこの段部２ａの上に支持され、立ち上り部２ｂは木枠外面に接して、木枠５が横にズレるのを防止している。皿２の四隅に金属アングルからなる支柱７を立て、これで皿２と木枠５を一体に結合して槽本体９が形成される。この水槽本体９の中にプラスチックの薄板でできた内槽１０をはめ込んで水漏れを防止する。【選択図】図２
2008075265.tif 000002
【特許請求の範囲】
【請求項１】
金属製の皿の上に矩形の木枠を何段か積み上げ、これら木枠を該皿の四隅に立てた支柱で固定して槽本体を構成し、この槽本体の中に、該槽本体の内部形状に適合する防水シート製の内槽を上からはめ込んでなる雨水槽。
【請求項２】
該皿の周縁をＬ字状断面に折曲して、最下段の該木枠が載る段部と、該木材の外面に沿う立ち上がり部を形成した請求項１に記載の雨水槽。
【発明の詳細な説明】
【技術分野】
【０００１】
この発明は、鋼材複合の木製雨水槽に関する。
【背景技術】
【０００２】
雨を溜めて雑用水に使用するため、雨水槽を設置する家庭が増えている。従来の家庭用雨水槽は、金属やプラスチックで作られていたが、質感が家屋や庭の景観に馴染まない。木材製であれば違和感はなくなるが、木材の継ぎ目から水漏れをなくすためにコーキングなど手間の掛かる工作が必要になり、必然的にコスト高になる。
【発明の開示】
【発明が解決しようとする課題】
【０００３】
この発明は、木材を主材料とする雨水槽であって、工事が簡単であって、水漏れのないものを提供することを課題とする。
【課題を解決するための手段】
【０００４】
この発明の雨水槽は、金属製の皿の上に矩形の木製枠を何段かにわたって積み上げ、これら木枠を皿の四隅に立てた支柱で固定して槽本体を構する。この槽本体の中に、その内部形状に適合する形状を持った、防水シート製の内槽を上からはめ込んでなる（請求項１）。このように、底を除いて木材で構成したので見栄えがよく、周囲の建物ともマッチする。また、複数段の木枠を、金属製の皿の四隅に立つ支柱で固定するようにしたので、十分な強度が得られる。さらに、槽本体の内部形状に適合する形状を持った防水シート製の内槽を槽本体はめ込んだので水漏れが防止でき、木枠同士の隙間などに止水パテなどを充填する必要がなく、安価に提供できる。
【０００５】
皿の周縁をＬ字状断に折曲して、最下段の木枠が載る段部と、木枠の外面に沿う立ち上がり部を形成した（請求項２）。こうすれば、木枠を段部に載せて安定的に支持することができ、立ち上がり部分があるので、皿と木枠が水平方向にズレを生じにくいという効果がある。
【発明を実施するための最良の形態】
【０００６】
この発明を図面に基づいて説明する。図１に示すように、この雨水槽１は直方体で、300リットルほどの容量を有する。雨水槽は底部に長方形の金属皿２を備えており、この皿は、図２に示すように、薄鉄板（例えば厚み約1.6mm）を溶接して角皿状に形成したもので、全面に防錆メッキが施されている。皿２は四隅にある脚３の上に載置される。
【０００７】
図２に示すように、この角皿の上に木枠５を何段か積み上げる。各木枠は、長短２枚ずつの木板６をねじ止めして矩形に形成したものである。木板の厚みは水圧で撓まないよう30mmほどの厚みを有する。金属皿２の周縁はＬ字状断面に折曲して、段部２ａと立ち上り部２ｂを形成している。最下段の木枠５はこの段部２ａの上にしっかりと支持され、立ち上り部２ｂは木枠外面に接して、木枠５が横にズレるのを防止している（図３の拡大図参照）。
【０００８】
脚３にねじ止めするようにして皿２の四隅に金属アングルからなる支柱７を立て、各支柱は木枠５にねじ止める。こうして皿２と木枠５を一体に結合して槽本体が形成される。このままでは、皿と木枠および木枠同士の継ぎ目から水が漏れるので、水槽本体の中に、水槽本体に適合する大きさ、形状に作られた内槽１０をはめ込む。内槽は、プラスチック製の薄板１０ａ（例えば、厚さ1mmほどの塩化ビニール板）を箱状の雄型に被せるようにして、板同士の継ぎ目を貼り合わせて形成することができる（図２）。貼り合せには接着剤を用いてもよいし、熱接着でもよい。このような内槽１０を水槽本体の中にはめ込むことにより、水漏れが防止される。内槽は水槽本体９に適合する大きさ、形状に作られ、内槽が水圧を受けたとき、内槽を構成する薄板１０ａは皿２および木枠５の各内面に密着して支持されるので、薄板が破損するおそれはない。水槽の壁の上縁にはメッキ鋼板製の縁１１を取り付ける。
【０００９】
図３に示すように、水槽の片隅にオーバーフローパイプ１２を設け、下端を槽外に引き出す。水槽の下部、皿２の部分にカラン１３を設ける。水槽には必要に応じて蓋１５を設ける。
【００１０】
この雨水槽は、家屋に隣接して設置し、屋根に降り注いだ雨水を集めて流す縦樋から管ないしホース１６を分岐し、その先を水槽内に導く。オーバーフローパイプ１２に多孔管１７を接続し、その多孔管は地面に掘った溝の中に砂利１９と共に埋設する（図３）。
【００１１】
このように構成したので、屋根に降り注いだ雨水が縦樋を通過するときに、その一部がホース１６に分流し、雨水槽１の中に流れ込む。雨水槽がいっぱいになると、雨水はオーバーフローパイプ１２を通って多孔管に流れ込み１７、多孔管の孔から流出した水は地中へと浸透する。
【００１２】
雨水槽がないと雨水は下水を通って直に河川に流れ込むため、河川が増水したり洪水になったりするが、多くの家庭でこのような雨水槽を備えることにより、降雨時の河川の急激な増水を抑制することが可能になる。
【００１３】
雨水槽１に溜まった水はカラン１３から取り出して、植栽への給水、庭への打ち水、災害によるインフラ途絶時のトイレの洗浄水などの雑用水として有効に活用することができる。この雨水槽の底部は金属製の皿になっているので、下から薪を焚いて加熱することができ、災害時に簡易浴槽として利用することができる。
【００１４】
雨水槽の木部が劣化、腐蝕した場合には、支柱７から木枠５を留めているねじを外すだけで木枠を簡単に更新することができ、雨水槽の耐用期間長期化と国内間伐材の新たな活性化が図れる。
【図面の簡単な説明】
【００１５】
【図１】雨水槽の斜視図である。
【図２】雨水槽の組立図である。
【図３】雨水槽の一部断面図である。
【符号の説明】
【００１６】
１    雨水槽
２    皿
２ａ  段部
２ｂ  立ち上り部
５    木枠
７    支柱
１０  内槽
【図１】
2008075265.tif 000003
【図２】
2008075265.tif 000004
【図３】
2008075265.tif 000005
(57)【要約】【課題】  この発明は靴下を穿いたとき、時間が経つにしたがって、上部が、下に下ることを防ぐためのずり落ちない靴下を提供する。【解決手段】  靴下（１）の上部開口部（２）の部分を編む糸の外部（３）にゴムノリ（４）を付けた糸で靴下を編んだことを特徴とした、ずり落ちない靴下。【選択図】図１
2008075234.tif 000002
【特許請求の範囲】
【請求項１】
靴下（１）の上部開口部（２）の部分を編む糸の外部（３）にゴムノリ（４）を付けた糸で靴下を編んだことを特徴とした、ずり落ちない靴下。
【発明の詳細な説明】
【技術分野】
【０００１】  この発明は、靴下を穿いたとき、時間が経つにしたがって上部が、下に下ることを防ぐためのずり落ちない靴下に関するものである。
【背景技術】
【０００２】  従来、靴下は上部開口部の一部をゴム入りの糸で編んでいた。
しかし、足は下が細くなっているため、靴下は穿いているとだんだん下に下がってしまい、皺になっていた。
【発明の開示】
【発明が解決しようとする課題】
【０００３】  これは次のような欠点があった。
靴下を穿くと最初は、上まで上げて穿いているが、足は下が細くなっているため、やがて下にずり落ちて、足首の上で皺になってしまい、外目にも見にくいものであった。
また、ゴムの部分が一個所に集中するため、その部分の足が必用以上に締めつけられ、肉に喰い込み、深い締めあとができ、血行不良になり、健康上もよくなかった。
本発明は以上の欠点を解決するためになされたものである。
【課題を解決するための手段】
【０００４】  靴下（１）の上部開口部（２）の部分を編む糸の外部（３）にゴムノリ（４）を付けた糸で靴下を編む。
本発明は、以上の構成よりなる、ずり落ちない靴下である。
【発明を実施するための最良の形態】
【０００５】  以下本発明を実施するための形態を説明する。
靴下（１）の上部開口部（２）を編む糸の外部（３）にゴムノリ（４）を付けて靴下を編む。
本発明は以上の構成よりなっている。
本発明を使用すると、靴下はずり落ちることがなく糸に付いているゴムノリがすべりにくいので一度穿くと、脱ぐまで足にぴたりと密着する。
【本発明の効果】
【０００６】  本発明を使用することによって、靴下は穿いたときのまま、の状態で、ずり落ちることがなく、足の一部を締めつけられて血行不良を起すこともなく、下った靴下を気にして、度々引上げていた。
そういった不愉快さや、手間もかからず使用することができる。
気分爽快でストレスもおこらず精神衛生上も大変よい。
【図面の簡単な説明】
【０００７】
【図１】  本発明の正面図である。
【図２】  本発明の斜視図である。
【符号の説明】
【０００８】    １  靴下
２  開口部
３  外部
４  ゴムノリ
【図１】
2008075234.tif 000003
【図２】
2008075234.tif 000004
(57)【要約】【課題】顔面部分の汗をすばやく拭える衣服を提供する。【解決手段】着用者の顔面部にまで伸張可能な範囲の衣服の袖外面部または前身頃外面部に吸水素材物品を取り付ける。【選択図】図１
2008075233.tif 000002
【特許請求の範囲】
【請求項１】
衣服であって、着用者の顔面部に伸張可能な前記衣服の袖外面部または前身頃外面部に吸水素材物品を取り付けて成ることを特徴とする衣服。
【請求項２】
前記吸水素材物品と衣服本体とを着脱可能とする着脱手段を具備して成ることを特徴とする請求項１の衣服。
【請求項３】
請求項１及び請求項２の衣服本体とを接合させる部分に難透水性素材を具備して成ることを特徴とする吸水素材物品。
【発明の詳細な説明】
【技術分野】
【０００１】  本発明は、着用者が顔面近傍の発汗時に、衣服から分離された吸水素材で構成された物品を用いないで顔面の汗拭き行為を行う、汗拭き付き衣服に関するものである。
以降、吸水素材で構成された物品のことを吸水素材物品と呼称する。
【背景技術】
【０００２】  従来、スポーツ等の運動による発汗で体が濡れると不快感を起すため、多くの者は綿１００％タオルに代表される吸水素材物品を用いて汗拭きをしたり、あるいは着替えを行っている。しかしながら、運動の性質や状況によっては上記吸水素材物品を用いることや着替えを行うことが困難な場合がある。
なお、肌着の内面に高吸水性及び高吸湿性繊維パッド部を設け、着用者の胸部領域や肩部領域および腋の下領域の発汗に対応して汗を吸収させる発明が知られている（特許文献１）。
【特許文献１】  特開２００１−４０５０４号公報
【発明の開示】
【発明が解決しようとする課題】
【０００３】  そのために、次のような問題点があった。
（イ）顔面部分の汗を拭う場合は、吸水素材物品を用いて汗拭きを行うため運動を中断しなければならない。
（ロ）着衣そのもので顔面部分の汗を拭う場合は、顔面部分以外の発汗により衣服の吸水能力が落ちているので、顔面に不快感が残った。
本発明は以上の問題点を解決しようとするものである。
【課題を解決するための手段】
【０００４】  着用者の顔面部にまで伸張可能な範囲の衣服の袖外面部または前身頃外面部に吸水素材物品を取り付ける。そして、着用者は前記吸収素材物品を顔面に引き寄せて接合させることで、顔面の汗を拭う。また吸収素材物品の取り付け方法を衣服本体と分離できるようにすることで、予備の吸収素材物品と交換できるようにする。吸収素材物品の衣服接触面に透水性に劣る物品の層を設けることで、着衣からの汗の浸透を抑制する。以上を特徴とする汗拭き付き衣服である。
【発明の効果】
【０００５】  本発明は、顔面に伸張可能な着衣の部位に吸水素材物品を取り付けているので、素旱く顔面の汗を拭くことができ、運動の中断を少なくすることができる。
また、吸水素材物品が分離でき、新たな吸水素材物品と交換できるので吸水能力を維持したまま顔面の汗を拭えることで、快適さを得ることができる。
着衣からの汗の浸透を抑制する難透水性物品の効果で、吸水素材物品は顔面の汗のみを拭うことになるので、快適さを継続することにつながる。
【発明を実施するための最良の形態】
【０００６】  以下、本発明の実施の形態について説明する。
（イ）衣服（１）の外面部に吸水素材物品（２）を設ける。
（ロ）吸水素材物品（２）の取り付け位置は、着用者の顔面まで伸張可能な衣服（１）の袖外面部（３）や前身頃外面部（４）とする。
（ハ）吸水素材物品（２）の取り付け方法は、図５の（Ａ）（Ｂ）（Ｃ）（Ｄ）のいずれかで行う。
（Ａ）吸水素材物品（２）と袖外面部（３）や前身頃外面部（４）とを直接縫合する。
（Ｂ）吸水素材物品（２）と袖外面部（３）や前身頃外面部（４）との間にマジックテープのような着脱手段（８）を設けて取り付ける。
（Ｃ）吸水素材物品（２）と袖外面部（３）や前身頃外面部（４）との間に難透水性素材（９）挟んで縫合する。
（Ｄ）吸水素材物品（２）と難透水性素材（９）を縫合したものと袖外面部（３）や前身頃外面部（４）との間にマジックテープのような着脱手段（８）を設けて取り付ける。
（ニ）着脱手段（８）には、マジックテープ、ボタン、ファスナー、ホック、はめこみや埋め込み手段を利用する。
本発明は以上のような構造で、これを使用するときは衣服（１）の着用者が吸水素材物品（２）を顔面に引き寄せ汗を拭う。吸水素材物品（２）が着脱手段（８）を具備している場合は、長時間の使用により吸水素材物品（２）の吸水能力が低下したときに着脱手段（８）部分で取り外して予備の吸水素材物品（２）と交換することで吸水能力を向上させる。
【図面の簡単な説明】
【０００７】
【図１】本発明の斜視図
【図２】本発明の正面図
【図３】吸水素材物品の取り付け位置を示す正面図
【図４】吸水素材物品の取り付け位置を示す背面図
【図５】吸水素材物品の取り付け方法を示す断面図  （Ａ）は吸水素材物品と衣服外面部を直接縫合する方法  （Ｂ）は吸水素材物品と衣服外面部を着脱手段を設けて取り付ける方法  （Ｃ）は吸水素材物品と衣服外面部との間に難透水性素材挟んで縫合する方法  （Ｄ）は吸水素材物品と難透水性素材を縫合したものと衣服外面部とを着脱手段を設けて取り付ける方法
【符号の説明】
【０００８】  １  衣服
２  吸水素材物品
３  袖外面部
４  前身頃外面部
５  襟部
６  衣服内面部
７  後身頃外面部
８  着脱手段
９  難透水性素材
【図１】
2008075233.tif 000003
【図２】
2008075233.tif 000004
【図３】
2008075233.tif 000005
【図４】
2008075233.tif 000006
【図５】
2008075233.tif 000007
(57)【要約】      （修正有）【課題】複合的デザインの紬の絣を、工程を少なく短期に能率よく、製造する方法の提供。【解決手段】二つ以上の面を持つ、例えば、四面枠の原糸の巻かれた枠の各面に一画面用図柄、二面用図柄、三面用図柄、四面用図柄を染料で着色し、二画面図柄、四画面図柄の偶数面は逆に織り上がる。着色された糸を枠から外し一筋づつに解き管に巻く。解いた絣は、一面二面三面四面の柄として順にできている。従って、これをタテ糸に織っていき、織物を製造する。【選択図】図６
2008075235.tif 000002
【特許請求の範囲】
【請求項１】
二つ以上の面を持つ枠に一本以上束ねた原糸を巻き込み、各面に柄、染料を着色する、紬の絣の製造法である。
【発明の詳細な説明】
【考案の詳細な説明】
【産業上の利用分野】
【０００１】  この考案は枠を使った、紬のヨコ絣の製造法である。
【背景技術】
【０００２】  従来の先染法による紬は工程が多く、手間がかかった。
【考案が解決しようとする課題】
【０００３】  この考案は複合的デザインの紬の絣を、工程を少なく短期に能率よく、製造することを目的としている。
【問題を解決するための手段】
【０００４】  四面枠を使った製造法を説明しますと（イ）原糸の巻き込まれた枠［図６］の各面に一面用図柄［図１］二面用図柄［図２］三面用図柄［図３］四面用図柄［図４］を着色する。（ロ）二面用図柄［図２］四面用図柄［図４］の偶数面は逆に織り上がる。（ニ）着色された糸を枠から外し一筋づつに解き管に巻く
【作用】
【０００５】  解いた絣は、一面二面三面四面、一面二面三面四面……の柄として順にできている。従ってこれをタテ糸に織っていくと［図５］のように織り上がる。
【実施例】
【０００６】（イ）他の二つ以上の面をもつ枠を使った製造法も同様である（ロ）枠は原糸を巻いた状態で面が作り出せれば、どんな材質、構造でもよい。（ハ）枠の巾の広さは、目的に合ったものを使用することができる。枠の巾が織物の巾である（ニ）原糸は染料が着色できるものであれば、どんな素材でもよい。
【各面の柄、色の組み合わせ】
（イ）直線的な幾何学模様の組み合わせ（ロ）曲線的な流線型の組み合わせ（ハ）直線、流線の両方の組み合わせ（ニ）一色によるもの（ホ）多色によるもの
【着色法】
（イ）直接に吹き付ける（ロ）型を用いての吹き付け又は塗付（ハ）下書きに沿っての吹き付け（ニ）植物や鉱物などを面においての吹き付け
【効果】
【０００７】（イ）一筋の絣を連続して織っていくので能率があがる（ロ）織巾が正確で織りはスムーズである（ハ）手織、機械織りともにできる（ニ）製品はざん新的なデザインである。（ホ）柄、色の重なりによって、ぼかし混合色の効果が出る（ヘ）製品は柄によって、和装洋装ふすまつい立てカーテンびょうぶ袋物の用途が考えられる。
【図面の簡単な説明】
【図１】一面用図面
【図２】二面用図面
【図３】三面用図面
【図４】四面用図面
【図５】織り上がり図面
【図６】原糸の巻かれた状態の枠の図面  以上である
【図１】
2008075235.tif 000003
【図２】
2008075235.tif 000004
【図３】
2008075235.tif 000005
【図４】
2008075235.tif 000006
【図５】
2008075235.tif 000007
【図６】
2008075235.tif 000008
(57)【要約】【課題】  火災等の緊急時にも適切な避難誘導が図れ、長期に亘って張替えをする必要のない手摺用案内表示板を提供すること。【解決手段】  軟質または半硬質の合成樹脂製シートに矢印等の避難誘導表示部を膨出部として打ち出し、同シートの外周が傾斜面となるように面取りしたことを特徴とする。【選択図】図１
2008075431.tif 000002
【特許請求の範囲】
【請求項１】
軟質または半硬質の合成樹脂製シートに矢印等の避難誘導表示部を膨出部として打ち出し、同シートの外周が傾斜面となるように面取りしたことを特徴とする手摺用案内表示。
【発明の詳細な説明】
【技術分野】
【０００１】  本発明は、特に視覚障害者に便利な手摺用案内表示板に関する。
【背景技術】
【０００２】  従来から視覚障害者用の手摺用案内表示板として、点字を刻設乃至膨出させたシートを手摺の外周に接着したものがある。【０００３】  然しながら、この従来の手摺用案内表示板にあっては、通常時には視覚障害者が点字を触覚によって読み取り、その情報によって行き先を知ることができるが、火災等の緊急時には点字から情報を読み取る余裕などはなく避難方向とは逆の方向に行ってしまい惨事を引き起こすというような問題点があって、避難誘導には不向きであった。【０００４】  また、この手摺用案内表示板のシート端面は垂直状に立ち上がっており、視覚障害者が歩行するときには手を手摺に滑らせるように握るため、手摺を握る指がシート端面を押して剥がれ易く、頻繁に張替えなければならないという問題点があった。
【発明の開示】
【発明が解決しようとする課題】
【０００５】  本発明は、上記問題点を解消し、火災等の緊急時にも適切な避難誘導が図れ、長期に亘って張替えをする必要のない手摺用案内表示板を提供することにあるものである。
【課題を解決するための手段】
【０００６】  本発明に係る手摺用案内表示板は、軟質または半硬質の合成樹脂製シートに矢印等の避難誘導表示部を膨出部として打ち出し、同シートの外周が傾斜面となるように面取りしたことを特徴とするものである。
【発明の実施の態様】
【０００７】  本発明の実施の態様を図面について具体的に説明する。
図１は、本発明に係る手摺用案内表示板の平面図、図２は、図１のＡ−Ａ線における縦断側面図、図３は、同表示板を手摺に貼着した状態の平面図、図４は、図３のＢ−Ｂ線における縦断側面図である。
【０００８】  図１において、１は、本発明に係る手摺用案内表示板であって、軟質または半硬質の厚さ５ｍｍ程度の合成樹脂製シートを加熱打ち出し成形によって矢印等の避難誘導表示部たる膨出部２を形成し、同シートの外周が傾斜面３なるように面取りしたものである。
【０００９】  この手摺用案内表示板１を接着剤または両面テープで手摺Ｈに貼着すると、図３、図４のような状態となり、視覚障害者が手摺を握って歩行するとき、手に避難誘導表示部たる膨出部２が当たって表示部の形状によって避難すべき方向が認識できて安全に避難でき、手を手摺に滑らせるように握ってもシートの外周が傾斜面３なるように面取りしてあるので、長期に亘って剥がれることがないものである。
【発明の効果】
【００１０】  本発明に係る手摺用案内表示板によれば、軟質または半硬質の合成樹脂製シートに矢印等の避難誘導表示部を膨出部として打ち出し、同シートの外周が傾斜面となるように面取りしたものであるから、視覚障害者が手摺を握って歩行するとき、手に避難誘導表示部たる膨出部が当たって表示部の形状によって避難すべき方向が認識できて安全に避難できるだけでなく、手を手摺に滑らせるように握っても剥がれるようなことがないので、長期に亘って張り替える必要がなく、経済的である。
【００１１】  また、手摺用案内表示板１を構成するシートの縦幅を最小径の手摺の外周の長さとしておけば一種類の手摺用案内表示板で最小径の手摺から最大径の手摺に使用できて便利である。
【００１２】  更に、手摺用案内表示板１を構成するシートを透明なシートとし、両面テープで手摺Ｈに貼着する場合、膨出部２の裏側の凹部に着色顔料または塗料を流し込んでおけば、この膨出部２の着色された避難誘導表示部のみが浮き出て健常者にとっても一目で避難場所が認識できて便利であるだけでなく、装飾的機能も奏し得るものである。
【００１３】  上記着色顔料または塗料に蓄光性蛍光体等の蓄光剤を混入しておけば、夜間の案内表示にも役立つもので、利用分野は広いものである。
【図面の簡単な説明】
【００１４】
【図１】  本発明に係る手摺用案内表示板の平面図である。
【図２】  図１のＡ−Ａ線における縦断側面図である。
【図３】  同表示板を手摺に貼着した状態の平面図
【図４】  図３のＢ−Ｂ線における縦断側面図である。
【符号の説明】
【００１５】    １・・・シート
２・・・膨出部
３・・・傾斜面
【図１】
2008075431.tif 000003
【図２】
2008075431.tif 000004
【図３】
2008075431.tif 000005
【図４】
2008075431.tif 000006
(57)【要約】【課題】    軒先等に積もった雪を、地上にいる作業者が安全に掻き落とすことのできる雪下ろし具を提供する。【解決手段】振り出し式竿管状の柄と、柄の先端に取り付けられた、熊手型で略コの字状の帯板片を先端にもつプラスチック製雪掻き部とからなり、柄の長さを用途に応じた長さに調節することで、地上より安全かつ容易に軒先等の雪下ろし作業ができる。【選択図】図２
2008075433.tif 000002
【特許請求の範囲】
【請求項１】
必要な長さに伸縮可能な竿管状の柄と、柄の先端に取り付けられた熊手型で、かつ左右両端を同じ向きに短く折り曲げた略コの字状の帯板片を先端にもつプラスチック製雪掻き部とからなり、柄と雪掻き部先端との間の内角を５０〜７０度とした雪下ろし具。
【請求項２】
帯板片には適当間隔をおいて複数の穴があけられている請求項１記載の雪下ろし具。
【発明の詳細な説明】
【技術分野】
【０００１】  本発明は、屋根に登ることなく、地上から屋根の軒先等に積もった雪を掻き落とす雪下ろし具に関するものである。
【背景技術】
【０００２】  冬季に降雪の多い地域では、屋根に上っての雪下ろし作業が発生するが、軒先部分の雪下ろしには転落の危険が伴っていた。また、雪下ろしを放置しておくと、人が屋根から急に落ちてくる雪の下敷きになる危険性が常に顕在していた。【０００３】  従来の軒先等の雪下ろし具には、伸縮性の竿管の先端に金属製の刃先物を付けたものがある。（特許文献１参照）【０００４】
【特許文献１】実用新案第３０３３１７９号
【発明が解決しようとする課題】
【０００５】  しかしながら、従来の雪下ろし具は、その刃先物の先端形状が比較的小さく、また、鉄等の金属製で重いため、刃先物が雪の中に深く埋まってしまい、雪の掻き落としに力を要する。また竿管は伸縮性であるが、縮めた状態の仕舞い寸法でも２００ｃｍ超もあり、自動車での運搬や倉庫への収納には長すぎて支障が出るという問題点があった。
【０００６】  そこで本発明者は、このような従来の問題を解決しようとするものであり、屋根の軒先等の雪下ろし作業を安全かつ容易に行うことができる雪下ろし具を提供することを目的とするものである。
【課題を解決するための手段】
【０００７】  すなわち本発明は、雪を掻き取る雪掻き部と、これを先端に取り付けた竿管状の柄に工夫を凝らすことによって、雪の掻き落としの労力を軽減し、安全に作業することのできる雪下ろし具である。まず、雪掻き部は、軽量で強固なプラスチック製であり、その形状については、雪を掻く先端は帯板片の左右両端を短く同じ向きに９０度折り曲げた略コの字状にすることで雪を切り易くすると同時に、柄との連結部を熊手型にしたものである。
さらに雪掻き部先端と柄との間の内角を５０〜７０度、例えば鍬のように約６０度の内角をつけ、雪掻き部が雪の中に深く埋まらないようにすることで、少ない労力での雪の掻き落としを可能にするものである。また、竿管状の柄は、例えばグラスファイバー製で振り出し竿式に伸縮可能とすることにより、使用場所や用途に応じて必要な長さに適宜調節して使用できる仕組みとしたものである。
【発明の効果】
【０００８】  本発明の、先端が略コの字状の帯板片からなる熊手型の雪掻き部と、竿管状の柄からなる雪下ろし具を用いれば、屋根軒先に積もった雪等を、地上より安全かつ軽作業で下ろすことができる。また、竿管状の柄は、仕舞い寸法を短く折り畳めるため、乗用車等でも容易に持ち運びができ、また収納にも場所をとらない。
【発明を実施するための最良の形態】
【実施例１】
【０００９】  以下、本発明を図に沿って説明する。
図１は、雪下ろし具の使用を示す図である。
雪下ろし具は、雪掻き部１と竿管状の柄２の２つの要素で構成されていて、柄２を伸ばした全長は約４００ｃｍ（Ｄ）である。これは、地上から軒先までの高さを３００ｃｍ（Ａ）とした場合、屋根から雪が落ちても安全に作業できる地点を軒先からの距離２５０ｃｍ（Ｂ）、人が柄を持つ高さを１００ｃｍ（Ｃ）として、雪下ろし具の全長を約４００ｃｍ（Ｄ）と設定したものである。【００１０】  柄２は、振り出し竿式の多段階伸縮可能となっており、使用状況や作業目的に応じて、その長さを調節して使うことが出来るので扱い易い。【００１１】  また、最小時の長さである仕舞い寸法は、最大太さの管の長さに規制されるが、約１４０ｃｍとコンパクトにでき、運搬や収納が容易である。【００１２】  図２、図３は、雪を掻き引く雪掻き部１を示す。その材質は軽量でかつ強度のあるプラスチック、例えばポリカーボネートを用いる。雪に食い込む先端３は、例えば幅２０ｃｍ、長さ５０ｃｍの帯板片４の左右両端を１０ｃｍずつ同じ向きに９０度折り曲げて略コの字型とし、両端のＬ字部分５には少し丸みをつけた形状とすることで、雪の横のつながりを断ち、雪を切り取り易くする。帯板片４の上部は熊手型の連結部６であり、この連結部を熊手型の形状とすること、また、この連結部から先端３にかけての面を、柄２に対して内角約６０度の角度をつけることにより、先端３が雪の中へ必要以上に深く埋まるのを防ぐことができる。また、略コの字型の帯板片４の中央部分は複数個所の穴７をあけて軽量化と一部の雪の逃がしをはかっている。【００１３】  竿管状の柄の材質は軽量かつ強度のあるカーボンファイバー製を用いることが好ましい。
【産業上の利用可能性】  本発明の雪下ろし具は、屋根の雪下ろしは勿論、自動車や店頭の日よけテント上に積もった雪などにも広く用いることができる。
【図面の簡単な説明】
【図１】  本発明の雪下ろし具の使用を示す図
【図２】  同、雪掻き部を示す斜視図
【図３】  同、雪掻き部の上面図
【符号の説明】
Ａ    軒の先端より地上までの長さ
Ｂ    Ａ地上の接点から作業者の足元まで
Ｃ    作業者が雪下ろし具の柄を握る位置
Ｄ    雪下ろし具の全長
１    雪掻き部
２    伸縮可能な柄
３    雪掻き部先端
４    帯板片
５    Ｌ字部分
６    連結部
【図１】
2008075433.tif 000003
【図２】
2008075433.tif 000004
【図３】
2008075433.tif 000005
(57)【要約】【課題】付着貝の除去作業をより大幅に低減でき、しかも人体に無害で海洋の生態系を破壊しないような、船舶外壁や海水搬送パイプ内壁などに用いる塗料を提供する。【解決手段】塗料原料としてカプサイシンを、全固形成分重量比率において１／１０００００以上含有させるか或いは、カプサイシンを含む植物材料粉末を、それに含まれるカプサイシンが全塗料固形成分重量比率において１／１０００００以上になるように含有させて、貝類付着防止用塗料とする。【特許請求の範囲】
【請求項１】
塗料原料としてカプサイシンを、全固形成分重量比率において１／１０００００以上含有させたことを特徴とする貝類付着防止塗料。
【請求項２】
塗料原料としてカプサイシンを含む植物材料粉末を、それに含まれるカプサイシンが全塗料固形成分重量比率において１／１０００００以上になるように含有させたことを特徴とする貝類付着防止塗料。
【発明の詳細な説明】
【技術分野】
【０００１】この発明は、主に船舶の外壁や発電所の冷却用海水搬送パイプの内壁などにおいてフジツボ等貝類が付着するのを防止する塗料に関する。
【背景技術】
【０００２】船舶における水面下の外壁にフジツボ等の貝類が付着し、これが多数に及ぶと水抵抗が増大するなどの弊害があるので、定期的にその除去作業を余儀なくされている場合が多い。その負担を軽減させるために、貝類が付着ないし定着しなくなるような船舶外壁用の塗料が要望されているが、毒性の強いものは海洋汚染や海産物汚染による人体への害も懸念され、現状ではかかる塗料はいずれも甚だ不十分な貝類付着防止機能を有するにすぎない程度のものに留まっている。
【発明の開示】
【発明が解決しようとする課題】
【０００３】このような現状において、付着貝の除去作業をより大幅に低減でき、しかも人体に無害で海洋の生態系を破壊しないような船舶外壁用などの塗料の実現が強く要望されている。本発明はかかる課題を解決しようとするものである。
【課題を解決するための手段】
【０００４】上記課題を解決するために本発明者は、事実上人体や生態系に対し無害に等しい食材、とりわけ香辛料類を中心にこれの各種を塗料に混合して貝類の付着防止を試みた結果、意外にもトウガラシ類の粉末が甚だ少量にもかかわらず顕著な作用効果を奏することを見出し、またその原因物質がカプサイシン（カプサンチンともいう）であることも判明して、本発明に至った。【０００５】すなわちそのカプサイシンを塗料原料として、全固形成分重量比率において１／１０００００以上含有させ、貝類付着防止塗料とするものである。【０００６】この際、純粋な化学物質としてのカプサイシンを用いても良いが、これを豊富に含有するトウガラシの実などを粉末化したものを用いても良い。ちなみにトウガラシといっても種類により含有量にかなり差があり、国産の神出雲唐辛子で凡そ０．２％、韓国産又は中国産で０．０１〜０．７５％、メキシコ産のハバネロで２％前後含まれるものとされる。なお、同種のものであってもピーマンやパプリカ等は辛味が無くカプサイシンを含まないので、本発明には用いられない。上記のカプサイシンを含む植物材料粉末を用いる場合は、その混入量はそれに含まれるカプサイシンが全塗料固形成分重量比率において１／１０００００以上になるように含有させれば良い。従って含有量２％のハバネロを用いる場合は０．２％のものの１／１０で済むが、それでも全塗料固形成分の１／２０００以上は要することになる。【０００７】カプサイシンの含有量が上記数値に満たないと、貝類に対し若干の忌避作用はあるにしても実用上、その付着防止の目的達成のためには不十分である。また塗料としての物性を損なわない限り上限を設ける必要はないが、経済性も加味すれば約１／１０００〜１／２０００（０．１％〜０．０５％）程度が好ましい。これをカプサイシン０．３％含有の唐辛子粉末で換算すれば約２０％程度、同２％含有のハバネロ粉末で換算すれば約３％、又はそれ以上の混入が目安となる。【０００８】また植物材料粉末を用いる場合は、できるだけ余分な夾雑物の混入を避けるためにもハバネロのような含有量の多いものを用い、更にその粉末度をできるだけ細かくして塗装仕上げが粗雑にならないようにすることが好ましい。更に非水性塗料中に混合する場合はその粉末を絶乾状体にすべきことは勿論である。【０００９】適用させる塗料は、例えばラッカー型の場合は溶媒の蒸発により乾燥後に目減りするから、これを予め考慮に入れてカプサイシンの混入量を計量する。なお、通常使われる事実上全ての船舶外壁用塗料において、その塗膜は微量ずつカプサイシンを透過し外部に向けて放出し得ることが認められ、その結果、例えばハバネロの微粉末を約１０％加えるのみで、従来の船舶用塗料（一応防貝塗料）に比べてフジツボの付着数を数十分の１にまで減少させ得ることが判明した。
【発明の効果】
【００１０】本発明によれば、船舶の水面下に相当する外壁や発電所の冷却用海水搬送用パイプの内壁に塗布する塗料として使用することにより、フジツボなどの貝類の付着ないし定着を甚だ顕著に防止できるから、それの除去作業を著しく軽減することができ、同時にかかる壁面の耐久性を向上させ、環境汚染などの防止にもつながるなどの効果がある。
【発明を実施するための最良の形態】
【００１１】在来通りの船舶外壁用塗料中に、平均粒径１０μ程度に微粉化したハバネロ又はこれから抽出したカプサイシンをカプサイシン重量換算で約０．１％混合する。但し最良の粒径や混入パーセンテージはこれに限るものではなく、要求される塗膜の種類、耐久性や経済性などを加味して適宜選定する。
【実験例】
【００１２】約２００平方ｃｍのＦＲＰ板を３枚用意し、その１枚には在来の船舶用防貝塗料（商品名ライトレット：中国塗料（株）製、キシレン２０〜３０％含む）を約３０μ厚塗布し、もう１枚には同じ塗料に中国産天鷹唐辛子粉末を３０Ｗ％混合したものを同厚塗布し、更にもう１枚には同じ塗料にメキシコ産ハバネロ粉末を１５Ｗ％混合したものを同厚塗布して試供品とした。これらを三河湾の海中に同一環境条件で同時に侵漬し、３ケ月後に引き上げて表面に付着しているフジツボの数を数えたところ、在来塗料の面には９７個、天鷹唐辛子混合の面には３個、ハバネロ混合の面には１個（及び板のコグチ面に１個）のみという結果であった。ちなみに無塗装の裏面には２００個以上のフジツボが付着していた。
【産業上の利用可能性】
【００１２】本発明の塗料は在来のものにカプサイシン又はこれを含む植物粉末を少量混合するのみで得られ、事実上の二次弊害もなく、これによって付着貝の除去作業が省けるなどというメリットは甚大であるから、産業上の利用可能性は十分にあるといえる。
(57)【要約】【課題】  ２個の円盤を当接させることで常に回転摩擦力を安定させ、しかも簡単な構造で摩擦力を容易に制御できる回転摩擦保持装置を提供する。【解決手段】    ２個の円盤を当接させて回転力を伝達する回転摩擦装置において、その一方の円盤１の接触面を同心円状の円突条に形成し、他方の円盤２の接触面を平行状に突状させた線突状に形成し、互いの円盤１・２のどちらかに駆動力５でもって回転力を与えることで一方の回転盤に安定した回転摩擦保持力が得られる。【選択図】図３
2008075865.tif 000002
【特許請求の範囲】
【請求項１】
本発明は２個の円盤を当接させて回転力を伝達する回転摩擦装置において、接触面の接触部分が円盤全面に多数箇所に分散し、接触面が平面のものに比して接触面が減少し、多数の接触部の面圧が平面のものに比して増大する。その接触点は回転軌道に対して連続する点が移動する状態になり、当接する円盤の接触点が描く図形は回転軸を中心として回転する限りにおいて、描かれた図形接触点は円盤の３６０度どの位置にあっても不変である回転摩擦保持装置に関するものである。
【請求項２】
２個の円盤を当接させて回転力を伝達する回転摩擦装置において、一方の円盤の接触面を回転軸を中心とする同心円状の円突条に形成し、他方の円盤の接触面を平行状に突出させた線突状に形成してなる２個の円盤を当接させることで円盤間に生じる摩擦力を保持する回転摩擦保持装置。
【発明の詳細な説明】
【技術分野】
【０００１】  本発明は、２個の当接する円盤面の回転運動による摩擦力によって任意の抵抗を付与する機構として利用される回転摩擦装置の技術分野に属する。
【背景技術】
【０００２】  従来、円盤を当接させて円盤を回転する回転摩擦装置における機構としては、同一または異なった部材間にすべり摩擦を発生させるものがある。それはクラッチ、トルクリミッタ、ブレーキといった機構が知られている。これらは各部材を完全に圧着させること以外に、滑り摩擦を利用して各部材間に荷重に応じた回転差を生じさせながら動力を伝えることを目的としている。【０００３】  ところで、２個の円盤を当接させて駆動するクラッチ等のように滑る摩擦を利用して動力を伝達する機構では、半接続状態での摩擦力を一定に規制することが極めて困難であり、特に平面性能が高い鏡状の２個の当接する円盤間においては、静摩擦と動摩擦が間欠的に作用して摩擦力が極めて不安定になる。
更に、２個の円盤を当接させて動力の回転速度を常に一定に規制しようとするためには新たに高価な装置を追加する必要が生じる。このためコスト高に為る事は否めない。また構造上機械の複雑化と大型化を招くという問題点があった。
【発明の開示】
【発明が解決しようとする課題】
【０００４】  本発明は前記問題点に鑑みてなされたものである。その課題は２個の円盤を当接させた一方の円盤を回転させる回転摩擦装置とし、他方の被回転円盤に動力を伝えたとき、その回転運動に対して常に安定した摩擦力を発生させることが出来、しかも摩擦力を容易に制御できる。更に、簡単な構造で摩擦回転する装置を提供することである。
【問題を解決するための手段】
【０００５】  上記の課題を解決するために、本発明は、２個の円盤を当接させて回転力を伝達する回転摩擦装置において、一方の円盤の接触面を回転軸を中心とする同心円状の円突条に形成し、他方の円盤の接触面を平行状に突状させた線突状に形成してなる回転摩擦装置。
さらに、２個の円盤を当接させて円盤間に生じる摩擦力により保持する摩擦保持装置において、一方の円盤を回転軸を中心とする同心円状の円突状に形成し、他方の円盤の接触面を平行状に突出させた線突条に形成してなる摩擦装置を重ね合わせることにより形成された回転摩擦保持装置。
【発明の効果】
【０００６】  本発明では、接触面の接触部分が全面に多数箇所に分散し、接触面が平面のものに比して接触面が減少し、多数の接触部分の面圧が平面のものに比して増大しているので、安定した摩擦力が得られる。
【発明を実施するための最良の形態】
【０００７】  本発明の回転摩擦装置の実施例を図面に沿って説明するが、本発明の作用原理を図によって説明する。
図１は接触面を回転軸を中心とする同心円状の円突条に形成した円盤。
図２は接触面を平行状に突出させた線突状に形成した円盤。
図３は円盤の接触面を当接した状態を透視した図形である。【０００８】  上記した本発明の作用原理では、図３によれば、接触面の接触部分が円盤全面に多数箇所に分散し、接触面が平面のものに比して接触面が減少し、多数の接触部分の面圧が平面のものに比して増大している。その接触点は回転軌道に対して連続する点が移動する状態となり、当接する円盤の接触点が描く図形は回転軸を中心として回転する限りにおいて、図形は３６０度どの位置にあってもその描かれた図形接触点は不変である。【０００９】  このように、本発明実施例の回転摩擦装置において、円盤のどちらか一方に固定駆動源（モータ）を装備し、回転させ他方の円盤に動力を伝達するに際して軸方向の荷重を任意に変化させることにより、往々にして滑りあう二つの回転面は静摩擦と動摩擦が間欠的に作用して理想的な摩擦力が得られることから、回転運動に対して目的に適合する一定した摩擦力を発生させることができ、しかも摩擦力の大きさを容易に制御することの出来る装置を極めて簡単な構造で構成されている。【００１０】  なお、本発明の特徴を損なうものでなければ、形状または部材の材質については上記の実施例に限定されるものでないことは勿論である。
【図面の簡単な説明】
【００１１】
【図１】同心円の円突条  平面図。
【図２】平行状の線突状
【図３】図１と図２を重ねた透過図。
【図４】本発明の作用原理を説明する説明図。
【符号の説明】
【００１２】１―円盤
２―円盤
３―プレート
４―プレート
５―駆動モータ
６―回転軸
【図１】
2008075865.tif 000003
【図２】
2008075865.tif 000004
【図３】
2008075865.tif 000005
【図４】
2008075865.tif 000006
(57)【要約】      （修正有）【課題】エンジン起動時にエンジン起動者を限定し、望まれぬ者によるエンジン起動を阻害する。【解決手段】エンジン起動装置はエンジン起動時に情報の入力を要求する。入力された情報が妥当であれば、エンジン起動装置はグラウンドまでの通電を許可し、エンジンの起動を可能とする。【選択図】図２
2008075639.tif 000002
【特許請求の範囲】
【請求項１】
エンジンの始動につき、情報の入力を要求し、その入力された情報の妥当性によりエンジンの始動を許可するエンジン始動制御装置。
【請求項２】
前記エンジン始動制御装置は情報入力用機器、情報妥当性判断用ＩＣを交換することにより入力を要求する情報を変更することができることを特徴とするエンジン始動制御装置。
【請求項３】
前記エンジン始動制御装置は電気的なスイッチとして回路に組み込むために従来のエンジン始動装置を変更せずに後付で組み込めることを特徴とするエンジン始動制御装置。
【発明の詳細な説明】
【技術分野】
【０００１】  この発明は従来特定の鍵を使用することで鍵の使用者を問わずエンジン始動を許可していたエンジン始動装置につき、鍵使用者認証の手続きを付与しエンジン始動をできる対象を限定したエンジン始動措置である。
【技術背景】
【０００２】  従来のエンジン始動制御装置は特定の鍵を用いるか、もしくは電波を利用した鍵の特定を行いエンジン始動者はことさらその認証手続きを意識する必要がなかった。
【発明の開示】
【発明が解決しようとする課題】
【０００３】しかし、近年、窃盗の増加や認知症患者による車両運転が問題となっており、エンジン始動を許可する対象者を特定する必要がでている。
【課題を解決するための手段】
【０００４】この装置はエンジン始動に対し情報の入力を要求することで、エンジン始動が可能である者を限定することができる。
【発明が解決する手段】
【０００５】  上記課題を解決するために、請求項１記載の装置はエンジン始動者に情報を要求し、入力された情報の妥当性を検証することによってエンジン始動者を特定する。
【０００６】  また、請求項２記載の装置では、情報入力及び情報妥当性判断に関する機器を交換式にすることにより、要求する情報の多様化にも対応できる。
【０００７】  しかし、従来のエンジン始動装置の正常な動作を妨げることがあってはならないので、請求項３記載の装置は、請求項１の装置を電機回路上に電子的スイッチとして機能するものであり、従来のエンジン始動装置及び従来のエンジン始動装置に関する機器と並立して使用することができる様にするものである。
【発明の効果】
【０００８】  本発明は次のような効果を奏する。
請求項１に記載されている発明は、エンジン始動装置を操作するものを特定することができるので、望まれない者によるエンジン始動を阻害することができる。
請求項２の記載されている発明は、要求する情報に多様性を持たせるため、機器の設置、管理者により入力すべき情報及び妥当性判断の基準を選択することができる。
請求項３に記載されている発明は、従来のエンジン始動装置に影響を与えないので、従来のエンジン始動装置と併用することができる。
【発明を実施するための最良の形態】
【０００９】  従来のエンジン始動装置のスイッチと直列となるように請求項１の発明を組み込む。
【図面の簡単な説明】
【００１０】
【図１】  請求項１の回路図である。
【図２】  請求項１の妥当性判断のフローチャートである。
【図３】  請求項３を実現するための従来のエンジン始動装置に関する回路への組み込み例である。
【図１】
2008075639.tif 000003
【図２】
2008075639.tif 000004
【図３】
2008075639.tif 000005